(57)【要約】【課題】容易に製造することができるカッター案内部付き扉及びその製造方法を提供すること。【解決手段】開口部を開閉するためにこの開口部に開閉自在に配置された扉となっている玄関ドア１には、閉じたときに横方向に対向配置されている相手部材となっている外枠の縦枠部材７に対してロック部材１４が係脱することで施錠、解錠するための施錠装置と、施錠時に互いに横方向に対向している縦枠部材７の端面７Ａと玄関ドア１の端面部材１７との間の隙間Ｓに露出しているロック部材１４を外側から隠すための目隠し部２３と、目隠し部２３とロック部材１４を切断するためのカッター３１を案内するカッター案内部と、が設けられ、玄関ドア１のドア外面である表面１Ａにカッター案内部材３０が取り付けられ、外側への突出量を有するカッター案内部材３０の側面３０Ａがカッター案内部となっている。【選択図】図２
2010242360.tif 000002
【特許請求の範囲】
【請求項１】
開口部を開閉するためにこの開口部に開閉自在に配置される扉であって、閉じたときに横方向に対向配置されている相手部材に対してロック部材が係脱することにより施錠、解錠するための施錠装置と、前記施錠時に互いに横方向に対向している前記相手部材の端面と扉端面との間の隙間に露出している前記ロック部材を外側から隠すための目隠し部と、この目隠し部と前記施錠時の前記ロック部材とを切断するためのカッターを案内するカッター案内部と、を備えているカッター案内部付き扉において、
扉外面に、外側への突出量を有しているカッター案内部材が取り付けられ、このカッター案内部材に前記カッター案内部が設けられていることを特徴とするカッター案内部付き扉。
【請求項２】
請求項１に記載のカッター案内部付き扉において、前記カッター案内部材の側面が前記カッター案内部となっていることを特徴とするカッター案内部付き扉。
【請求項３】
請求項１に記載のカッター案内部付き扉において、前記カッター案内部材に溝部が形成されており、この溝部が前記カッター案内部となっていることを特徴とするカッター案内部付き扉。
【請求項４】
請求項１に記載のカッター案内部付き扉において、前記カッター案内部材は互いに対向して前記扉外面に複数個配置されており、これらのカッター案内部材の互いに対向している対向面が前記カッター案内部となっていることを特徴とするカッター案内部付き扉。
【請求項５】
開口部を開閉するためにこの開口部に開閉自在に配置される扉であって、閉じたときに横方向に対向配置されている相手部材に対してロック部材が係脱することにより施錠、解錠するための施錠装置と、前記施錠時に互いに横方向に対向している前記相手部材の端面と扉端面との間の隙間に露出している前記ロック部材を外側から隠すための目隠し部と、この目隠し部と前記施錠時の前記ロック部材とを切断するためのカッターを案内するカッター案内部と、を備えているカッター案内部付き扉を製造するための方法であり、
前記施錠装置と前記目隠し部とを備えている扉を製造するための扉製造工程と、
この扉製造工程で製造された前記扉の外面に、外側への突出量を有していて、前記カッター案内部が設けられているカッター案内部材を取り付けるためのカッター案内部材取付工程と、
を含んでいることを特徴とするカッター案内部付き扉の製造方法。
【請求項６】
請求項５に記載のカッター案内部付き扉の製造方法において、前記カッター案内部材取付工程で前記扉の外面に前記カッター案内部材が取り付けられるときには、前記扉は、前記開口部を開閉するためにこの開口部に既に開閉自在に配置されていることを特徴とするカッター案内部付き扉の製造方法。
【発明の詳細な説明】
【技術分野】
【０００１】
本発明は、火災等の非常事態の発生時に施錠装置のロック部材を切断するためのカッターを案内するカッター案内部を備えた扉に係り、例えば、玄関ドア等のドアや引き戸装置の引き戸、折れ戸装置の折れ戸等の扉に利用することができるものである。
【背景技術】
【０００２】
玄関ドアは、玄関に設けられた開口部である出入口を開閉するために、この開口部を内側に形成している外枠にヒンジで取り付けられることにより、出入口に開閉自在に配置される。また、この玄関ドアには、閉じたときの玄関ドアに対して横方向に対向配置されている相手部材（例えば、上記外枠の構成部材や袖扉等）にロック部材が係脱することにより施錠、解錠するための施錠装置が設けられる。さらに、玄関ドアには、相手部材の端面とドア端面との間の隙間を隠すための目隠し部が設けられ、この目隠し部により、施錠時に相手部材に係合していてこの相手部材の端面とドア端面との間の隙間に露出しているロック部材を、盗難防止等の目的で、外側から隠すことができるようにしているものがある。
【０００３】
このような目隠し部を備えた玄関ドアによると、火災等の非常事態の発生時に、玄関ドアを施錠しているロック部材の位置を確認することが難しく、玄関ドアを開けるためにこのロック部材をカッターで切断する作業に時間がかかるため、下記の特許文献１及び２には、玄関ドアに、カッターを案内するカッター案内部を設け、このカッター案内部でカッターを案内させながら上下に移動させることにより、上述の目隠し部とロック部材とを切断できるようにした技術が示されている。
【先行技術文献】
【特許文献】
【０００４】
【特許文献１】特開２００６−２５７８３０号公報（００３８段落）
【特許文献２】特開２００７−１８６９８５号公報（００２５段落）
【発明の概要】
【発明が解決しようとする課題】
【０００５】
しかし、これらの文献に示されているものは、玄関ドアの一部を形成する部材となっている玄関ドアの表面材に溝部を形成し、この溝部をカッター案内部とするものであるため、玄関ドアを製造するときの作業工程において、カッター案内部を形成する作業も行わなければならない。これによると、カッター案内部付き玄関ドアを製造するための作業が面倒、複雑になり、容易にカッター案内部付き玄関ドアを製造することは困難である。
【０００６】
本発明の目的は、容易に製造することができるようになるカッター案内部付き扉及びその製造方法を提供するところにある。
【課題を解決するための手段】
【０００７】
本発明に係るカッター案内部付き扉は、開口部を開閉するためにこの開口部に開閉自在に配置される扉であって、閉じたときに横方向に対向配置されている相手部材に対してロック部材が係脱することにより施錠、解錠するための施錠装置と、前記施錠時に互いに横方向に対向している前記相手部材の端面と扉端面との間の隙間に露出している前記ロック部材を外側から隠すための目隠し部と、この目隠し部と前記施錠時の前記ロック部材とを切断するためのカッターを案内するカッター案内部と、を備えているカッター案内部付き扉において、扉外面に、外側への突出量を有しているカッター案内部材が取り付けられ、このカッター案内部材に前記カッター案内部が設けられていることを特徴とするものである。
【０００８】
本発明に係るこのカッター案内部付き扉によると、カッター案内部材にカッター案内部が設けられているため、このカッター案内部材を扉の外面に取り付けると、自ずと扉にカッター案内部を設けることができ、このため、容易にカッター案内部付き扉を製造することができる。
【０００９】
また、本発明に係るカッター案内部付き扉では、扉外面に、外側への突出量を有しているカッター案内部材が取り付けられ、このカッター案内部材にカッター案内部が設けられているため、先に、扉を製造するための作業を行い、この後に、この扉の外面にカッター案内部材を取り付けるという手順によってそれぞれの作業を行うことにより、扉にカッター案内部を設けることができることになり、このため、扉を製造するための作業と、この扉にカッター案内部を設けるための作業とを別作業にすることも可能となり、全体の作業性を向上させることができる。
【００１０】
本発明に係るカッター案内部付き扉において、カッター案内部材にカッター案内部を設けるための形態は、任意のものでよい。
【００１１】
その第１番目の例は、カッター案内部材の側面をカッター案内部とすることである。
【００１２】
第２番目の例は、カッター案内部材に溝部を形成し、この溝部をカッター案内部とすることである。
【００１３】
第３番目の例は、カッター案内部材を扉の外面に互いに対向させて複数個配置し、これらのカッター案内部材の互いに対向している対向面をカッター案内部とすることである。
【００１４】
また、本発明に係るカッター案内部付き扉の製造方法は、開口部を開閉するためにこの開口部に開閉自在に配置される扉であって、閉じたときに横方向に対向配置されている相手部材に対してロック部材が係脱することにより施錠、解錠するための施錠装置と、前記施錠時に互いに横方向に対向している前記相手部材の端面と扉端面との間の隙間に露出している前記ロック部材を外側から隠すための目隠し部と、この目隠し部と前記施錠時の前記ロック部材とを切断するためのカッターを案内するカッター案内部と、を備えているカッター案内部付き扉を製造するための方法であり、前記施錠装置と前記目隠し部とを備えている扉を製造するための扉製造工程と、この扉製造工程で製造された前記扉の外面に、外側への突出量を有していて、前記カッター案内部が設けられているカッター案内部材を取り付けるためのカッター案内部材取付工程と、を含んでいることを特徴とするものである。
【００１５】
このカッター案内部付き扉の製造方法によると、先に、施錠装置と目隠し部とを備えている扉を製造するための作業が行われ、この後に、この扉製造作業で製造された扉の外面に、外側への突出量を有していて、カッター案内部が設けられているカッター案内部材を取り付けるためのカッター案内部材取付作業が行われるため、扉を製造するための作業と、この扉にカッター案内部を設けるための作業とを別作業にすることができ、これにより、扉に簡単にカッター案内部を設けることができる。
【００１６】
このカッター案内部付き扉の製造方法において、扉の外面に、外側への突出量を有していて、カッター案内部が設けられているカッター案内部材を取り付けるための作業は、扉が製造された工場で行ってもよく、あるいは、前述した開口部を開閉するためにこの開口部に既に開閉自在に配置されている扉に対して行ってもよい。
【００１７】
後者を言い換えると、前述のカッター案内部材取付工程で扉の外面にカッター案内部材が取り付けられるときには、この扉は、前述した開口部を開閉するためにこの開口部に既に開閉自在に配置されていることになる。
【００１８】
すなわち、本発明に係るカッター案内部付き扉の製造方法は、既に施工が終了している既設の扉に対しても実施することができる。
【００１９】
以上説明した本発明において、閉じたときの扉に対して横方向に対向配置されている前述した相手部材は、任意な部材でよい。その一例の相手部材は、前述した開口部を内側に形成している外枠の構成部材であり、他の例の相手部材は、玄関ドアの横に開閉自在に配置される袖ドア等のように、扉の横に配置される袖扉である。すなわち、本発明は、扉がドアの場合には、観音開き式の扉にも適用することができ、また、扉が引き戸の場合には、引き分け式の扉にも適用することができる。
【００２０】
また、本発明において、扉を施錠、解錠するために施錠装置のロック部材が相手部材に係脱するための動作の形態も、任意なものでよい。その一例は、ロック部材が扉及び相手部材に対して直線的に往復動することであり、他の例は、相手部材に係脱するためにロック部材が扉に対して往復回動することである。
【００２１】
さらに、本発明は、任意な動作形態により前述した開口部を開閉する扉に適用することができる。その一例の扉は、ヒンジを中心に回動するドアであり、このドアは、玄関ドアでもよく、室内ドアでもよい。また、他の例の扉は、上記開閉のために直線的往復動を行う引き戸装置の引き戸である。さらに他の例の扉は、上記開閉のために直線的往復動と往復回動との組み合わせ運動を行う折れ戸装置の折れ戸である。
【発明の効果】
【００２２】
本発明によると、カッター案内部付き扉を容易に製造することができるという効果を得られる。
【図面の簡単な説明】
【００２３】
【図１】図１は、本発明の一実施形態に係る扉となっている玄関ドアの全体を示す正面図である。
【図２】図２は、図１のＳ２−Ｓ２線断面図である。
【図３】図３は、第２実施形態を示す図２と同様の図である。
【図４】図４は、第３実施形態を示す図１と同様の図である。
【図５】図５は、第４実施形態を示す図２と同様の図である。
【図６】図６は、第５実施形態を示す図２と同様の図である。
【発明を実施するための形態】
【００２４】
以下に本発明を実施するための形態を図面に基づいて説明する。本発明に係る実施形態の扉は、玄関ドアであり、図１には、この玄関ドア１の全体の正面図が示されている。この玄関ドア１は、建物の玄関の開口部となっている出入口２に配置されているとともに、この出入口２を内側に形成している外枠３にヒンジ４で回動自在に取り付けられ、この回動により、玄関ドア１は出入口２を開閉する。外枠３は、上枠部材５と、下枠部材６と、左右の縦枠部材７，８とが構成部材として用いられた四方枠タイプとなっており、図１は、玄関ドア１を室外側から見た図になっているため、この図１では、玄関ドア１よりも室内側に配置されている下枠部材６は、玄関ドア１の下端の裏側に隠れている。なお、本発明は、下枠部材が存在しない三方枠タイプの外枠にヒンジで取り付けられる玄関ドアにも適用することができる。
【００２５】
玄関ドア１の室外側に向いている表面１Ａには、ヒンジ４とは反対側の縦枠部材７に近い位置において、手操作部材１０が取り付けられており、この実施形態に係る手操作部材１０は、上下両端部に設けられ、玄関ドア１に固定されている施錠装置１１と、これらの施錠装置１１の間に設けられ、手で握られるグリップ部１２とからなる。このグリップ部１２は、プッシュ・プルタイプのものになっている。
【００２６】
図２には、図１のＳ２−Ｓ２線断面図が示されている。この図２に示されているように、玄関ドア１の内部にはボックス１３が収納されており、このボックス１３の内部には、図１で示した施錠装置１１のキー穴１１Ａに差し込まれるキーの往復回動操作により、施錠装置１１のロック部材１４を縦枠部材７に向かって直線的に往復動させるための機構や、閉じていた玄関ドア１を開けるためにグリップ部１２を引く操作したときに、縦枠部材７の側へばねで常時前進付勢されているラッチ部材１５を後退させるための機構が内蔵されており、ボックス１３は玄関ドア１の力骨１６に取り付けられている。
【００２７】
玄関ドア１における縦枠部材７の側の端面は、端面部材１７により形成されており、この端面部材１７には、ロック部材１４とラッチ部材１５を縦枠部材７に向かって出没させるための孔１７Ａが形成されている。縦枠部材７には、閉じているときの玄関ドア１と横方向に対向している端面７Ａの部分において、ストライク部材１８が結合されており、このストライク部材１８と縦枠部材７には、ロック部材１４とラッチ部材１５を貫通させるための貫通孔１９が形成されているとともに、この貫通孔１９の背後において、縦枠部材７には、玄関ドア１の側の面が開口した受け部材２０が結合されている。
【００２８】
この受け部材２０の内部にラッチ部材１５の先端部が侵入することにより、玄関ドア１は閉じた状態を維持するとともに、ロック部材１４の前進によって受け部材２０の内部にロック部材１４の先端部が侵入することにより、言い換えると、ロック部材１４が縦枠部材７に係合することにより、玄関ドア１は、施錠装置１１により施錠された状態となる。また、ロック部材１４の後退によって受け部材２０の内部からロック部材１４の先端部が脱出することにより、言い換えると、ロック部材１４が縦枠部材７から離脱することにより、玄関ドア１は、施錠装置１１による施錠から解錠された状態となる。
【００２９】
すなわち、この実施形態では、玄関ドア１を施錠装置１１で施錠、解錠するための縦枠部材７に対するロック部材１４の係脱は、ロック部材１４の直線的往復動よって行われる。
【００３０】
図２に示されているように、玄関ドア１の室内側に向いている表面１Ｂには、サムターン部材２１が設けられており、このサムターン部材２１を往復回動させることによっても、ロック部材１４は直線的に往復動して玄関ドア１を施錠、解錠することになる。
【００３１】
なお、図１で説明したように施錠装置１１は手操作部材１０の上下両部分に設けられているため、図１に示されているように、玄関ドア１を施錠するために施錠装置１１のロック部材１４の先端部が侵入する受け部材２０は、縦枠部材７に上下２個２０Ａ，２０Ｂ設けられているとともに、サムターン部材２１も玄関ドア１に上下２個設けられている。
【００３２】
また、図２に示されているように、縦枠部材７には、閉じているときの玄関ドア１の室内側の表面１Ｂに当接する気密部材２２が取り付けられており、この気密部材２２により、玄関ドア１と縦枠部材７との間の気密性が確保されている。
【００３３】
玄関ドア１が閉じているときにおいて、玄関ドア１の端面部材１７と、この端面部材１７と横方向に対向配置されている縦枠部材７の端面７Ａとの間には、隙間Ｓが存在している。玄関ドア１が施錠されているときに、この隙間Ｓにロック部材１４とラッチ部材１５とが露出しており、これらのロック部材１４とラッチ部材１５を室外側である外側から隠すための目隠し部２３が、玄関ドア１に設けられている。この目隠し部２３は、この実施形態では、玄関ドア１の室外側の表面１Ａを形成している表面部材２４を、端面部材１７を越えて縦枠部材７の側へ延長するとともに、この延長した部分の途中を玄関ドア１の側へ折り返し、この折り返された端部を力骨１６と端面部材１７とで挟着結合することにより形成されている。
【００３４】
また、玄関ドア１の室外側の外面である表面１Ａには、室外側への突出量を有するカッター案内部材３０が接着等で取り付けられている。このカッター案内部材３０は、例えば、金属や硬質合成樹脂等の硬質材料で形成されているとともに、図１に示されているように、上下方向に長い長さを有している。また、カッター案内部材３０は、図２から分かるように、玄関ドア１の厚さ方向と同じ方向の厚さ寸法（外側への突出寸法）を有しているとともに、横方向（左右方向）の幅寸法を有し、同じ厚さ寸法及び同じ幅寸法が上下方向に連続している。すなわち、カッター案内部材３０は、１本の棒状部材となっている。
【００３５】
また、カッター案内部材３０は、図２に示されているように、このカッター案内部材３０における縦枠部材７の側の側面３０Ａの位置が、目隠し部２３で隠されている玄関ドア１の端面部材１７と縦枠部材７の端面７Ａとの間の隙間Ｓの範囲内の位置となって、玄関ドア１の表面１Ａに取り付けられているとともに、図１に示されているように、カッター案内部材３０は、玄関ドア１に上下２個設けられているロック部材１４の位置と、１個のラッチ部材１５の位置とがカッター案内部材３０の上下長さ範囲内の位置となって、玄関ドア１の表面１Ａに取り付けられている。
【００３６】
このようなカッター案内部材３０を備えた玄関ドア１を工場で製造するためには、先ずはじめに、手操作部材１０や施錠装置１１、ロック部材１４、ラッチ部材１５が取り付けられた玄関ドア１を製造し、この後に、玄関ドア１の室外側の表面１Ａにカッター案内部材３０を接着等で取り付ける。言い換えると、先ずはじめに、カッター案内部材３０の取付作業を除く玄関ドア１の全体の製造作業を行い、この後に、玄関ドア１の室外側の表面１Ａにカッター案内部材３０を接着等で取り付けることにより、カッター案内部材３０を備えた玄関ドア１を製造するのである。
【００３７】
このように本実施形態では、先ずはじめに、カッター案内部材３０の取付作業を除く玄関ドア１の全体の製造作業が行われるため、玄関ドア１の室外側の表面１Ａにカッター案内部材３０を取り付ける作業は、玄関ドア１を図１で示したヒンジ４で外枠３に回動自在に取り付けた後においても実施することができる。
【００３８】
このため、本実施形態は、既にヒンジ４で外枠３に回動自在に取り付けられている既設の玄関ドアにも適用することができる。
【００３９】
カッター案内部材３０を備えた玄関ドア１が設置されている建物に火災等の非常事態が発生し、施錠装置１１のロック部材１５で施錠されている玄関ドア１を開ける場合には、エンジン等の駆動装置で回転する図２のカッター３１の先端部をカッター案内部材３０の側面３０Ａに沿って、言い換えると、この側面３０Ａをカッター案内部として、カッター３１を上下方向に移動させる。これにより、上記隙間Ｓの内部に先端部が侵入するカッター３１により、目隠し部２３とそれぞれのロック部材１４とラッチ部材１５とが切断されることになり、玄関ドア１を開けることができる。
【００４０】
この実施形態によると、側面３０Ａがカッター案内部となっているカッター案内部材３０を玄関ドア１に取り付けるだけで、カッター案内部付き玄関ドア１を製造することができるため、カッター案内部付き玄関ドア１を容易に製造することができる。
【００４１】
また、カッター案内部材３０には、カッター案内部となっている側面３０Ａが設けられているため、先に、カッター案内部材３０の取付作業を除く玄関ドア１の全体の製造作業を行い、この後に、この玄関ドア１の外面にカッター案内部材３０を取り付けるという手順によってそれぞれの作業を行うことにより、玄関ドア１にカッター案内部を設けることができることになり、このため、玄関ドア１を製造するための作業と、この玄関ドア１にカッター案内部を設けるための作業とを別作業にすることも可能となり、全体の作業性を向上させることができる。
【００４２】
さらに、室外側への突出量を有しているカッター案内部材３０は、側面３０Ａの位置が上述した隙間Ｓの範囲内の位置となって玄関ドア１の表面１Ａに取り付けているため、この隙間Ｓを室外側から隠すための目隠し部２３の強度をカッター案内部材３０により補強することができる。
【００４３】
なお、目隠し部２３の強度を、玄関ドア１の上端から下端まで延びている目隠し部２３の全体について補強するために、カッター案内部材３０の上下長さを、玄関ドア１の上端から下端まで達するものとしてもよい。
【００４４】
図３は、カッター案内部材の玄関ドア１への取り付けに関する別実施形態を示している。この実施形態に係るカッター案内部材４０の側面４０Ａもカッター案内部になっているとともに、このカッター案内部材４０には、玄関ドア１の力骨１６と端面部材１７に形成された孔４１に挿入される脚部４０Ｂが形成されており、この脚部４０Ｂの先端部には膨大部４０Ｃが設けられている。
【００４５】
カッター案内部材４０のうち、少なくとも膨大部４０Ｃは、弾性変形可能となっている軟質材料等で形成されている。このため、膨大部４０Ｃを孔４１に収縮弾性変形させながら圧入すると、孔４１から突出して拡張弾性変形する膨大部４０Ｃの係止作用により、カッター案内部材４０は玄関ドア１に取り付けられることになる。
【００４６】
図４は、カッター案内部材の上下長さに関する別実施形態を示している。この実施形態に係る上下２本のカッター案内部材５０，６０における縦枠部材７の側の側面もカッター案内部になっているが、これらのカッター案内部材５０，６０の合計上下長さは、図１のカッター案内部材３０の上下長さよりも短くなっている。
【００４７】
そして、上側のカッター案内部材５０は、上側の１個のロック部材１４の位置と、１個のラッチ部材１５の位置とがこのカッター案内部材５０の上下長さ範囲内の位置となって、玄関ドア１の表面１Ａに取り付けられ、下側のカッター案内部材６０は、下側の１個のロック部材１４の位置がこのカッター案内部材６０の上下長さ範囲内の位置となって、玄関ドア１の表面１Ａに取り付けられている。
【００４８】
すなわち、この実施形態は、それぞれのロック部材１４ごとにカッター案内部材５０，６０を設けている場合を示している。
【００４９】
図５の実施形態に係るカッター案内部材７０は、玄関ドア１の端面部材１７と縦枠部材７の端面７Ａとの間の隙間Ｓに跨る幅寸法を有している。そして、このカッター案内部材７０の上下寸法は、玄関ドア１に上下２個設けられているロック部材１４の位置と、１個のラッチ部材１５の位置とがカッター案内部材７０の上下長さ範囲内の位置となる寸法となっている。また、カッター案内部材７０の外面７０Ａには、この外面７０Ａから玄関ドア１の厚さ方向に切り込まれた溝部７０Ｂが形成されており、この溝部７０Ｂは、少なくとも上記２個のロック部材１４の位置と１個のラッチ部材１５の位置とに対応する上下長さをもって形成されており、この溝部７０Ｂは、カッター案内部材７０の上下全長に渡って連続して形成してもよい。
【００５０】
さらに、溝部７０Ｂの左右方向（横方向）の位置は、上記隙間Ｓの範囲内の位置となっている。このため、図２で示したカッター３１の先端部を溝部７０Ｂに侵入させて上下方向に移動させることにより、カッター案内部材７０と共に、目隠し部２３とそれぞれのロック部材１４とラッチ部材１５とを切断できることになる。
【００５１】
なお、溝部７０Ｂを、図５に示されているように、玄関ドア１に向かって先細り形状の断面を有するものとすることにより、溝部７０Ｂにカッター３１の先端部をスムーズに侵入させることができる。
【００５２】
図６の実施形態では、玄関ドア１の表面に２個のカッター案内部材８０，９０が、間隔を開けて横方向に対向して取り付けられている。これらのカッター案内部材８０，９０の互いに対向している対向面８０Ａ，９０Ａは、カッター３１を案内するためのカッター案内部となっている。このため、これらの対向面８０Ａ，９０Ａの左右方向（横方向）の位置は、上記隙間Ｓの範囲内の位置となっている。さらに、これらのカッター案内部材８０，９０の上下寸法は、上記２個のロック部材１４の位置と１個のラッチ部材１５の位置とがカッター案内部材８０，９０の上下長さ範囲内の位置となる寸法となっている。
【００５３】
この実施形態では、カッター３１の先端部をカッター案内部材８０と９０の間に侵入させてカッター３１を上下方向に移動させることにより、対向面８０Ａ，９０Ａをカッター案内部として、目隠し部２３とそれぞれのロック部材１４とラッチ部材１５とを切断できることになる。
【００５４】
なお、カッター案内部材８０，９０の対向面８０Ａ，９０Ａを、図６に示されているように、これらの対向面８０Ａ，９０Ａで形成されるカッター案内部材８０，９０の間の断面形状が、玄関ドア１に向かって先細りの断面形状となる傾斜面とすることにより、カッター３１の先端部を対向面８０Ａ，９０Ａに沿ってスムーズに侵入させることができる。
【産業上の利用可能性】
【００５５】
本発明は、火災等の非常事態の発生時に施錠装置のロック部材を切断するためのカッターを案内するカッター案内部を備えた扉に利用することができ、例えば、玄関ドア等のドアや引き戸装置の引き戸、折れ戸装置の折れ戸等の扉に利用することができる。
【符号の説明】
【００５６】
１  扉である玄関ドア
２  開口部である出入口
３  外枠
７  相手部材である外枠の縦枠部材
１１  施錠装置
１４  ロック部材
２３  目隠し部
３０，４０，５０，６０，７０，８０，９０  カッター案内部材
３０Ａ，４０Ａ  カッター案内部となっている側面
３１  カッター
７０Ｂ  カッター案内部となっている溝部
８０Ａ，９０Ａ  カッター案内部となっている対向面
【図１】
2010242360.tif 000003
【図２】
2010242360.tif 000004
【図３】
2010242360.tif 000005
【図４】
2010242360.tif 000006
【図５】
2010242360.tif 000007
【図６】
2010242360.tif 000008